(57)【要約】【課題】  精細なマスクの複製が不要で、かつ、マスクと記録媒体との間での精密な位置合わせも不要で、しかも高ＮＡで大口径のレンズなども不要とすることができる記録媒体及び記録媒体の製造方法を提供すること。【解決手段】  記録媒体１０は、前面カバーガラス１１、ランダムパターン層１２、中間カバーガラス１３、ホログラム記録層１４及び後面カバーガラス１５を順番に積層した構造を有する。ランダムパターン層１２には、光波をランダムに位相変調するための例えば透過型格子のランダム位相パターンが記録されている。また、ホログラム記録層１４には、記録情報としてのホログラムが記録される。【選択図】  図１
2006039160.tif 000002
【特許請求の範囲】
【請求項１】
ホログラム記録層と、
前記ホログラム記録層と積層するように設けられ、光波をランダムに又は規則性をもって位相及び／又は振幅変調することが可能な変調層と
を具備することを特徴とする記録媒体。
【請求項２】
請求項１に記載の記録媒体であって、
前記変調層は、光波をランダムに又は規則性をもって位相変調するためのランダム位相パターンが記録されていることを特徴とする記録媒体。
【請求項３】
請求項２に記載の記録媒体であって、
前記ホログラム記録層は、第１の波長領域で感光し、
前記変調層は、前記第１の波長領域とは異なる第２の波長領域で感光する
ことを特徴とする記録媒体。
【請求項４】
請求項１に記載の記録媒体であって、
前記ホログラム記録層との間で前記変調層を挟むように配置され、前記ホログラム記録層、前記位相変調層の順番で通過した光を反射する反射層を更に具備することを特徴とする記録媒体。
【請求項５】
請求項１に記載の記録媒体であって、
前記変調層は、光波をランダムに又は規則性をもって位相及び／又は振幅変調するための凹凸が表面に設けられていることを特徴とする記録媒体。
【請求項６】
光波をランダムに又は規則性をもって位相及び／又は振幅変調する変調層を形成する工程と、
変調層とホログラム記録層とを積層する工程と
を具備することを特徴とする記録媒体の製造方法。
【請求項７】
請求項６に記載の記録媒体の製造方法であって、
光を反射する反射層を積層する工程をさらに具備することを特徴とする記録媒体の製造方法。
【請求項８】
請求項６に記載の記録媒体の製造方法であって、
前記変調層を形成する工程は、光波をランダムに又は規則性をもって位相変調するように、前記変調層を感光することを特徴とする記録媒体の製造方法。
【請求項９】
請求項８に記載の記録媒体の製造方法であって、
前記ホログラム記録層は、第１の波長領域で感光し、
前記変調層は、前記第１の波長領域とは異なる第２の波長領域で感光する
ことを特徴とする記録媒体の製造方法。
【請求項１０】
請求項６に記載の記録媒体の製造方法であって、
前記変調層を形成する工程は、前記変調層の表面に光波をランダムに又は規則性をもって位相及び／又は振幅変調する凹凸を設けることを特徴とする記録媒体の製造方法。
【発明の詳細な説明】
【技術分野】
【０００１】
本発明は、ホログラム記録を行うための記録媒体及びこのような記録媒体の製造方法に関する。
【背景技術】
【０００２】
光源としてレーザを用いたホログラム記録再生方式において、位相相関多重化方式が非常に注目を集めている。この位相相関多重化方式では、光波にランダムな位相パターン又はある一定の規則性を持った位相パターンを与える素子を入れた参照光と、空間光変調器を経由した信号光とによって信号を記録し、参照光と同様の位相パターンをもった再生光によって再生するときには、上記の記録と再生のランダムパターンがほぼ一致した時にしかホログラムは再生されないため、ホログラムをランダムパターンに応じたシフトで多重することが可能となる（例えば特許文献１参照）。
【０００３】
より具体的には、液晶やＧＬＶなどの空間光変調器によって変調された光(信号光)と、デフューザ、すりガラス等の位相板によって空間的にランダムな位相変調された光(参照光)とをホログラム記録媒体に入射させ、２つの光の干渉によってホログラムが形成される。ここで、再生時には参照光と同じ位相板を用いて同様の位相変調された光(再生光)を入射させることによって信号光と同じ変調パターンを持った光(回折光)が回折され信号が読み出される。
【０００４】
そして、ホログラム記録媒体や位相板を所定の方向にシフトさせると参照光の位相パターンが変化することによって回折効率が減少し、数μｍのシフトで回折効率がほぼ０となる。数μｍのシフトで信号が再生されなくなることから、記録時にこの程度のピッチのシフト量で記録すれば隣に記録されたホログラムからは回折されなくなるため、ほぼ同じ場所にいくつものホログラムを記録することが可能となる。
【０００５】
この位相相関多重化方式の特徴としては、従来の角度多重方式などとは異なり入射光波の角度を変えたりするなどのメカニカルな構造が必要ないという点を挙げることができる。これにより、記録媒体の回転のみで多重記録が可能となるため、従来の記録媒体の構造とよく似たものとなるという利点を有する。  
【特許文献１】特開平１１−２４２４２４号公報
【発明の開示】
【発明が解決しようとする課題】
【０００６】
しかしながら、こうした位相相関多重化方式では、以下のような様々な課題がある。
（１）光波を変調するマスクは非常に細かくランダム性の高いものを用いる必要があるため、その複製が困難である。
（２）マスクと記録媒体との間で非常に精密な位置合わせを必要とするため、リムーバブルなディスクメディアにおいて着脱の際の再現性を確保することは非常に困難である
った。
（３）振幅又は位相マスクのパターンをメディア面上に結像させるには非常に高ＮＡで大口径のレンズが必要とされる。
【０００７】
本発明は、かかる課題に対処するもので、精細なマスクの複製が不要で、かつ、マスクと記録媒体との間での精密な位置合わせも不要で、しかも高ＮＡで大口径のレンズなども不要とすることができる記録媒体及び記録媒体の製造方法を提供することを目的としている。
【課題を解決するための手段】
【０００８】
１．  かかる課題を解決するため、本発明に係る記録媒体は、ホログラム記録層と、前記ホログラム記録層と積層するように設けられ、光波をランダムに又は規則性をもって位相及び／又は振幅変調することが可能な変調層とを具備することを特徴とする。
【０００９】
本発明では、ホログラム記録層と積層するように例えば位相変調層が設けられているので、デフューザパターンは当該記録媒体固有のものとなり、全く同じものを複製する必要がなくなり、また例えばリムーバブルな記録媒体においてもホログラム記録層と位相変調層との間で高精度な位置合わせをする必要はなくなる。しかも、本発明では、ホログラム記録層と位相変調層とが近接して配置することが可能となるので、従来のように高ＮＡのレンズで結像する必要もなくなる。
【００１０】
（１）変調層としては、光波をランダムに又は規則性をもって位相変調するためのランダム位相パターンが記録されていることが好ましい。これにより、変調層の形成が容易になる。
【００１１】
そして、ホログラム記録層が第１の波長領域で感光し、変調層が第１の波長領域とは異なる第２の波長領域で感光するように構成することで、ホログラム記録層と変調層とを積層した後であっても変調層にランダム位相パターンを記録することが容易となり、製造の自由度が高まる。
【００１２】
変調層としては、光波をランダムに又は規則性をもって位相及び／又は振幅変調するための凹凸が表面に設けられていてもよい。
【００１３】
（２）本発明では、光を反射する反射層を更に具備するように構成しても構わない。
【００１４】
反射層を具備することで、記録媒体の表側に受光系を設けることが可能となり、装置の小型化に寄与することになる。
２．  本発明の別の観点に係る記録媒体の製造方法は、光波をランダムに又は規則性をもって位相及び／又は振幅変調する変調層を形成する工程と、変調層とホログラム記録層とを積層する工程とを具備することを特徴とする。
【００１５】
これにより、精細なマスクの複製が不要で、かつ、マスクと記録媒体との間での精密な位置合わせも不要で、しかも高ＮＡで大口径のレンズなども不要とすることができる記録媒体の製造が可能となる。
【００１６】
（１）光を反射する反射層を積層する工程をさらに具備していてもよい。  
【００１７】
これにより、装置の小型化に寄与する記録媒体の製造が可能になる。
【００１８】
（２）変調層を形成する工程としては、光波をランダムに又は規則性をもって位相変調するように、前記変調層を感光することが好ましい。
【００１９】
ここで、前記ホログラム記録層は、第１の波長領域で感光し、前記変調層は、前記第１の波長領域とは異なる第２の波長領域で感光するものであってもよい。
【００２０】
これにより、積層後に変調層を感光するのが容易である。
【００２１】
また、前記変調層を形成する工程としては、前記変調層の表面に光波をランダムに又は規則性をもって位相及び／又は振幅変調する凹凸を設けるものであってもよい。
【発明の効果】
【００２２】
以上のように、本発明によれば、ホログラム記録層と積層するように位相変調層が設けられているので、精細なマスクの複製が不要で、かつ、マスクと記録媒体との間での精密な位置合わせも不要で、しかも高ＮＡで大口径のレンズなども不要とすることができる。
【発明を実施するための最良の形態】
【００２３】
以下、本発明の実施の形態を図面に基づき説明する。
（記録媒体の構造）
【００２４】
図１は本発明の一実施形態に係るホログラム記録媒体の構成を示す図である。
【００２５】
この記録媒体１０は、前面カバーガラス１１、ランダムパターン層１２、中間カバーガラス１３、ホログラム記録層１４及び後面カバーガラス１５を順番に積層した構造を有する。
【００２６】
ランダムパターン層１２には、光波をランダムに位相変調するための例えば透過型格子のランダム位相パターンが記録されている。  
【００２７】
また、ホログラム記録層１４には、記録情報としてのホログラムが記録される。
【００２８】
ランダムパターン層１２は、例えば干渉縞を屈折率（あるいは、透過率）の変化として記録するものであり、光の強度に応じて屈折率（あるいは、透過率）の変化が行われる材料であれば、有機材料、無機材料の別を問うことなく利用可能である。無機材料として、例えば、ニオブ酸リチウム（ＬｉＮｂＯ３）のような電気光学効果によって露光量に応じ屈折率が変化するフォトリフラクティブ材料を用いることができる。有機材料として、例えば、光重合型フォトポリマを用いることができる。光重合型フォトポリマは、その初期状態では、モノマがマトリクスポリマに均一に分散している。これに光が照射されると、露光部でモノマが重合する。そして、ポリマ化するにつれて周囲からモノマが移動してモノマの濃度が場所によって変化する。
【００２９】
なお、例えば後面カバーガラス１５の表面に反射膜とグルーブが設けることにより、反射型方式に対応することが可能となる。
（ランダムパターン層１２の作成方法）
【００３０】
図２はランダムパターン層１２の作成方法を説明するための図である。
【００３１】
ランダムパターン層の記録には、例えば実際のホログラム記録と同じ波長域の光源を用いる。具体的には、例えば波長５３２ｎｍのグリーンレーザーを用いることができる。
【００３２】
ここでランダムな振幅又は位相パターンを持ったマスク２１を透過した物体光２２はレンズ２３によって結像されランダムパターン層１２である媒体２４上において参照光２５と重ね合わされる。
【００３３】
これら2つの光２２、２５の干渉によってホログラムとしてマスク２１上のパターンが媒体２４上に形成される。  
【００３４】
ここでは、参照光の入射角度θは一様に設定しておく必要がある。ここで等距離であるマスク２１とレンズ２３の距離とレンズ２３と媒体２４との距離２６について、この距離をレンズ２１の焦点距離としたときには、媒体２４上に形成されるパターンはマスク２１のフーリエパターンとなり、また距離２６を焦点距離の2倍とした時には媒体２４に記録されるパターンはマスク２１の実像パターンとなる。
【００３５】
これらの距離２６はこの2つに限ったことではなく、任意の距離に調節することによりに任意のフレネルパターンを形成することが可能となる。  
【００３６】
また、媒体２４については、これらのパターンを記録した後には何らかの後処理、例えばインヒーレントでありかつメディアに感光する波長域の光たとえばLEDなどの光をメディアのダイナミックレンジを十分に使いきるような時間たとえば数分間照射することによって更にこの媒体２４に他のホログラムが書き込まれることのないようにしておく必要がある。
【００３７】
媒体２４の媒質としては、フォトポリマ、フォトレジスト、耐熱プラスチック材料、光屈折材料、光互変性材料などを用いることができる。
（記録媒体１０の記録再生）
【００３８】
図３は記録媒体１０における記録再生の原理を説明するための図である。  
【００３９】
図示を省略したレーザ光源から出て、2つに分けられた2つのレーザ光である信号光３１及び参照光３２が記録媒体１０に入射する。
【００４０】
ここで、参照光３２は上記した特定の角度θで入射することによりランダムパターン層１２でランダムパターンが回折され、ホログラム記録層１４に入射する。信号光３１は上述した特定の角度θとは異なる角度であるため、ブラックの回折条件よりランダムパターン層１２から回折することはない。
【００４１】
そして、ホログラム記録層１４に入射した2つの光３１、３２によって信号光３１の強度変調された情報がホログラムとして記録される。ここで、ホログラム記録層１４に入射した参照光３２には前述したランダムパターンを持っているので、そのパターンに応じたシフト量で多重記録することが可能である。
【００４２】
一方、再生時には、参照光３２を記録したときと同じ角度θで記録媒体１０に照射することによってホログラム記録層１４に記録されたホログラムからの回折光が発生する。
【００４３】
なお、図３に示したように透過型の記録再生光学系の場合には、回折光は後面のカバーグラス１５を透過して記録媒体１０の入射面とは反対の面（後面）に出力されが、反射型の記録再生光学系の場合には、回折光は記録媒体１０の後面にある反射膜によって反射され、記録媒体１０の前面から出力される。
【００４４】
記録再生時において重要なことは、参照光３２のランダムパターン層１２に入射する角度θである。この角度θはランダムパターン層１２に対して常に一定の角度でなければ再生されない。つまりこのランダムパターン層１２を作成したときと全く同じ角度θで参照光３２を入射させなければならない。
【００４５】
なお、この入射角の幅については、カバーグラス１５の表面が反射膜になっていないとき(透過型の場合)には問題にならないが、カバーグラス１５の表面が反射膜の場合には、参照光３２で回折されずに透過した分が反射膜によって反射し、信号光３１と干渉するのを避ける角度である必要がある。つまり、この透過成分の反射がホログラム記録層１４の中で信号光３１と交わることのない角度に設定する必要がある。
（記録媒体１０の製造方法（円形ディスク型））
【００４６】
次に、図1に示した記録媒体１０の製造方法を図４に基づいて説明する。  
（１）ポリカーボネートまたはガラスの基板である中間カバー層１３を保持台(図示せず)にセットし、実際の記録再生と同じ波長帯域に感光性を持つホログラム材料を溶媒に溶かした状態で塗布する（ランダムパターン層１２）。
（２）その後、前面カバーガラス１１をランダムパターン層１２の上に乗せ、押し板（図示を省略）で押さえ、ランダムパターン層１２の厚さを溶媒に溶かした状態でランダムパターン層１２が所望の厚みになるようにする(例えば、１ｍｍや０．３ｍｍ)。
【００４７】
これにより、ランダムパターン層１２が、前面カバーガラス１１と中間カバーガラス１３との間にサンドイッチされた状態で形成される。
（３）図２でも説明したように、ホログラム記録と同じ波長帯の光源(図示せず)でマスク２１を透過してきたレーザ光をランダムパターン層１２に照射し、同様にある一定の角度θを持った参照光２５を同一箇所に照射する。このとき参照光２５はランダムパターン層１２に対してある一定の角度θを保つ必要があるため、この角度θでこれらの媒体（ランダムパターン層１２が、前面カバーガラス１１と中間カバーガラス１３との間にサンドイッチされた状態）を回転し、ランダムパターンを持った信号光２２との干渉によってランダム位相パターンを記録する。
【００４８】
このときの参照光２５の幅は媒体の中心から放射線上に垂直な必要があり、このサイズはディスク幅と同等又はそれより広ければ一度の回転で媒体上の全面に記録することが可能となる。このようにしてランダムパターンを記録した媒体を作成する。
（４）後面カバーガラス１５上に溶媒に溶かしたホログラム材料(上記と同様の波長域に感光性)を塗布し、（３）で作成したランダムパターンが記録された媒体を載せ、押し板（図示を省略）で押さえ、溶媒が蒸発した時点でホログラム記録層１４が所望の厚みになるようにする。
【００４９】
なお、ランダムパターンを記録した媒体上にホログラム材料（ホログラム記録層１４）を塗布してから後面カバーガラス１５で押し付けても良い。
（記録媒体１０の製造方法（カード型））
【００５０】
次に、記録媒体１０の形状がカード型である場合の製造法を図５に基づき説明する。  
（１）ポリカーボネートまたはガラスの基板である中間カバー層１３を保持台(図示せず)にセットし、実際の記録再生と同じ波長帯域に感光性を持つホログラム材料を溶媒に溶かした状態で塗布する（ランダムパターン層１２）。
（２）その後、前面カバーガラス１１をランダムパターン層１２の上に乗せ、押し板（図示を省略）で押さえ、ランダムパターン層１２の厚さを溶媒に溶かした状態でランダムパターン層１２が所望の厚みになるようにする(例えば、１ｍｍや０．３ｍｍ)。
（３）ホログラム記録と同じ波長帯の光源(図示せず)でマスク２１を透過してきたレーザ光をランダムパターン層１２に照射し、同様にある一定の角度θを持った参照光２５を同一箇所に照射する。このとき参照光２５はランダムパターン層１２に対してある一定の角度θを保つ必要がある。ランダムパターンを持った信号光２２との干渉によってランダム位相パターンを記録する。
【００５１】
このときの参照光２５のサイズはカードメディアと同等又はそれより広ければ一度でカード面上すべてに記録することが可能となる。
（４）後面カバーガラス１５上に溶媒に溶かしたホログラム材料(上記と同様の波長域に感光性)を塗布し、（３）で作成したランダムパターンが記録された媒体を載せ、押し板（図示を省略）で押さえ、溶媒が蒸発した時点でホログラム記録層１４が所望の厚みになるようにする。
【００５２】
このように2枚のカードを重ね合わせるようにして記録媒体を作成することができる。
（記録媒体１０の製造方法の他の例）
【００５３】
次に、記録媒体１０の製造方法の他の例を図６に基づき説明する。
【００５４】
上記で示した製造方法では、ランダムパターン記録層１２と実際のホログラム記録層１４とが同じ波長帯域に感度を持つホログラム記録材料を用いたが、これをランダムパターン記録層１２と実際のホログラム記録層１４とで異なる波長帯域に対して感度をもつホログラム記録材料を用いて記録媒体１０を製造すればより簡便な製造方法が実現可能である。  
【００５５】
構成自体は前述した記録媒体１０と変わらないが、ホログラム記録層１４の感度を持つ波長域がランダムパターン記録層１２のそれと異なる。
（１）まず、後面カバーガラス１５上に溶媒に溶かした実際に記録に用いる波長帯域に感度を持つホログラム材料(例えばブルーの領域)を塗布し、その上に中間カバーガラス１３を載せ、押し板（図示せず）で押さえ、溶媒が蒸発した時点でホログラム記録層１４が所望の厚みになるようにする。
（２）その後、上記ホログラム記録層１４とは異なる波長領域に感度(例えばグリーンの領域)を持ったメディアを溶媒に溶かしたものを、中間カバーガラス１３上に塗布し、前面カバーガラス１１を乗せて押し板（図示を省略）で押さえ込む。
（３）この媒体を作成した後、図４や図５に示した方法でランダムパターン作成をこの媒体全体に対して行う。このとき、ランダムパターン記録層１２に対応した波長域(例えばグリーンの領域)で行うので、ホログラム記録層１４は感光されない。よってこの記録媒体１０の場合には媒体を2層作成した後にランダムパターン記録を行うので、より簡単に記録媒体の製造が可能である。
【００５６】
なお、この記録媒体１０を用いた時に注意すべき点は、実際に情報を記録する際にランダムパターン記録層１２から再生することになるが、ランダムパターンを記録した波長と、再生する波長が異なるため、その波長ズレに対応するように角度を変えなければならない。
（記録媒体の他の構成例）
【００５７】
図７は本発明に係る記録媒体の他の構成例を示す図である。  
【００５８】
この記録媒体７０は、前面カバーガラス７１、ホログラム記録層７２、ランダムパターン層７３及び後面カバーガラス７４を順番に積層した構造を有する。
【００５９】
ここでホログラム記録方式として、信号の入出力が逆の面である透過型の記録再生装置を想定した場合には後面カバーガラス７４は単なるカバーガラスであり、また信号の入出力がメディアの同じ方向で行われる反射型の記録再生装置では後面カバーガラス７４の表面に反射膜とグルーブがつけられることとなる。従って、この記録媒体７０においてもこれら透過型、反射型どちらの方式を用いたときでも用いることは可能である。
（ランダムパターン層７３の作成方法）
【００６０】
次に、記録媒体７０におけるランダムパターン層７３の作成方法を図8に基づき説明する。  
【００６１】
ランダムな振幅又は位相パターンを持ったマスク８１を透過した物体光８２はレンズ８３によって結像され、ランダムパターン層７３上においてランダムパターン層７３の反対面から照射された参照光８４との干渉によってホログラムとしてマスク８１のパターンがランダムパターン層７３に反射型格子が形成される。
【００６２】
参照光８４の入射角度θは任意に設定しておく必要がある。  
【００６３】
等距離であるマスク８１とレンズ８３の距離８５との間の距離とレンズ８３とランダムパターン層７３との間の距離８５について、この距離８５をレンズ８３の焦点距離としたときはランダムパターン層７３に形成されるパターンはマスク８１のフーリエパターンとなり、また距離８５をレンズ８３の焦点距離の2倍としたときにはランダムパターン層７３に記録されるパターンはマスク８１の実像パターンとなる。
【００６４】
また、これらの距離８５はこの2つに限ったことではなく、任意の距離に調節することによりに任意のフレネルパターンを形成することが可能となる。またこれらのパターンを記録した後には何らかの後処理、例えばインヒーレントでありかつメディアに感光する波長域の光たとえばLEDなどの光をメディアのダイナミックレンジを十分に使いきるような時間たとえば数分間照射することによって、更にこの記録面に他のホログラムが書き込まれることのないようにしておく必要がある。
（記録媒体７０の記録再生）
【００６５】
図９は図７に示した記録媒体７０における記録再生の原理を説明するための図である。  
【００６６】
図示を省略したレーザ光源から出射され、2つに分けられた2つのレーザ光である信号光９１と参照光９２が記録媒体７０に入射する。
【００６７】
参照光９２はホログラム記録層７２を透過し、ランダムパターン層７３に特定の角度θで入射することにより、ランダムパターン層７３に記録されたランダムパターンが回折され、後面カバーガラス７４表面で反射し、ホログラム記録層７２に入射する。
【００６８】
そして、信号光９１とランダムパターンを持った参照光９２との干渉によってホログラム記録層７２にホログラムが形成される。ここで、入射した参照光９２には前述ランダムパターンを持っているので、そのパターンに応じたシフト量で多重記録することが可能である。
【００６９】
一方、再生時には参照光９２を記録と同じ角度θで記録媒体７０に照射することによってホログラム記録層７２に記録されたホログラムからの回折光が発生する。ここで発生したホログラム記録層７２の下のランダムパターン層７３に入射されるが、信号光９１は上述した特定の角度θとは異なる角度であるため、ブラックの回折条件よりホログラム記録層７２から回折することはない。
【００７０】
記録再生時において重要なことは、参照光９２のランダムパターン層７３に入射する角度である。この角度はランダムパターン層７３に対して常に一定の角度でなければ再生されない。つまりこのランダムパターン層７３を作成したときと全く同じ角度θで参照光９２を入射させなければならない。
【００７１】
参照光９２の入射角の幅については、参照光９２が角度はランダムパターン層７３で回折されずに透過した分が反射膜によって反射し、ホログラム記録層７２と干渉するのを避ける角度である必要がある。つまりこの透過成分の反射がホログラム記録層７２の中で信号光９１と交わることのない角度に設定する必要がある。
（記録再生装置）
【００７２】
本発明に係る記録媒体を記録再生する装置の構成例を図１０に示す。
【００７３】
記録再生に用いるレーザ光源2020、例えば405[nm]のLDや532のNd-YAGレーザーから照射された光線がコリーメートレンズ2021によって平行光になり偏光ビームスプリッタ2022によってｓ波の信号光ライン（実線）とｐ波の参照光ライン（点線）とに分割される。
【００７４】
前記信号光ラインはミラー2024によって反射され、ピンホール2025によってビームを所望の径にする。空間光変調器2026によって空間的に強度変調された光になる。ここで示した空間光変調器は透過型のものとして透過型液晶素子を想定しているが、空間光変調器として、MEMS素子であるDMD(Digital micro mirror）や反射型液晶、GLV (Grating Light Value)素子を用いてもよい。ここで前記光変調された光はファラデー素子2029で偏光面が45°回転され、次のファラデー素子では元のｓ偏光に戻される。この間に通過する偏光ビームスプリッタ2228は100パーセント完全に透過し、再生時には100パーセント反射するように置かれている。ここでミラー2030によって反射され、前記参照光と同一の光路になる。また前記偏光ビームスプリッタ2022によって透過した前記参照光ライン遮蔽板2032によって所望のビーム系にされ、ミラー2031によって反射され更にレンズ2033を透過する。ここでミラー2030の影響は受けずに信号光と同一のラインをたどる。続いて前述した信号光・参照光はダイクロイックビームスプリッタ2010を通過するが、これはサーボに用いる光と記録再生に用いる光を同一の行路にするためのものであり、このビームスプリッタの表面は記録再生用の光は全透過し、サーボ用に用いる光は全反射するような薄膜処理がなされている。
【００７５】
ここで、信号光2012と参照光2013は同軸で対物レンズ2011によってメディアに入射する。信号光は対物レンズ2011によって集光されてメディアに入射するが、参照光はレンズ2033とレンズ2011の距離は各々の焦点距離の和となっているので、対物レンズ2011によって平行ビームとなってメディアに入射する。ここでこの参照光の入射角度は前述したようにメディア内のランダムパターン記録層(図示せず)のホログラムが再生される角度に調整されている必要があるが、その角度はピンホール2032によって調節される。
【００７６】
記録時には後述するサーボ信号を検出し、それによってアクチュエータ2014の磁界による動作によって面ブレなどによるフォーカスのずれを解消する。ここで前述した位相相関多重方式においては前記参照光の位相パターンによって非常に少ないシフト量での多重記録が可能となるため、2015の本発明に係る記録媒体または光学系全体を記録媒体表面方向にシフトさせることによって多重記録を行う。
【００７７】
[再生系]
【００７８】
再生系では前記信号光を遮断し、前記参照光と同じ光(再生光)を本発明に係る記録媒体に入射させる。レーザ光源2020から出た光を前記ビームスプリッタ2022によって透過した再生光ラインは、ピンホール2032によってビームの中心部分のみが遮断され参照光と同様のビームの形にされる。続いて前記再生光は前記ミラー2031によって反射されレンズ2033、2011を透過する。ここで記録時の参照光パターンと同じパターンを持った再生光の入射により、対応するホログラムから回折光が発生する。ここで前記本発明に係る記録媒体または光学系全体を本発明に係る記録媒体2015表面上をシフトさせ、再生したい場所に再生光を入射させることによって所望のデータが再生される。ここで再生された回折光は信号光と全く逆の光路をたどり、前記ビームスプリッタ2010を透過し前記ミラー2030で反射される。ここでファラデー素子2029によって偏光方向が回転される。ここで偏光ビームスプリッタ2028はこの偏光方向の光を全反射されるようなに設置されているため、前記回折光はここで全反射されCCD2027で信号を取り出す。その空間的な2次元データを信号処理によって２値化して時系列2値化データにする。
[サーボ系]
【００７９】
光学系の中でサーボに関連する部分を記述する。ホログラム記録も従来の光ディスクのように記録、再生時には精度よくレーザービームの位置決めをする必要があるため、サーボ技術が必要とされ、そのためにサーボ信号検出用のサーボ光学系を付加する。2001はレーザーダイオードで、発振波長は本発明に係る記録媒体2015に対して感度がないようなもので、例えば650nmのものを使用する。
【００８０】
レーザーダイオード2001から出射したレーザービームは、コリメーターレンズ2002で平行光とされ、その後ビームを複数本に分ける為の２枚で構成されたグレーティング2003を通りビームスプリッター2005に入射する。サーボ用ビームは図で示すようにここは通過し、次のダイクロイックビームスプリッター2010で反射する。このビームスプリッター2010は波長によって透過又は反射するものであり、ホログラム記録用のレーザー波長より長いサーボ用レーザービームは反射するようにされている。ビームスプリッター2010で反射されたサーボ用ビームは次の対物レンズ2014で絞られて本発明に係る記録媒体2015のグルーブ部2016に照射される。  
【００８１】
これら本発明に係る記録媒体2015上では、本発明に係る記録媒体2015からのサーボ信号検出用ビームの反射光は対物レンズ2011を通り、ビームスプリッター2010で再び反射され次のビームスプリッター200６に入射する。今度はここで反射され、レンズ７で絞られた後にシリンドリカルレンズ2008で非点収差を発生させてフォトディテクタ2009に入射する。
【００８２】
このフォトディテクタ2009は4分割ディテクタになっており、従来の光ディスクと同様に3スポットでのトラッキングサーボと非点収差を利用したフォーカスサーボがかけられている。このサーボ情報をアクチュエータ2014と連動させることにより精度よく情報の記録再生が可能となる。
（その他の実施形態）
【００８３】
これまでの実施形態では、デフューザパターンをホログラムとして記録し、その回折光を利用してホログラム記録を行うものであった。その理由としては参照光のみにパターンを与えて、信号光にはその影響が及ばないようにするためである。
【００８４】
図１１はホログラムとしてランダムパターンを記録するのではなく、実際のランダムマスクを直接媒体に貼り付けたホログラム記録媒体の一例を示す図である。
【００８５】
この記録媒体９０は、ランダム位相パターンを持ったマスク９１、ホログラム記録層９２、反射膜９３及び保護層９４を順番に積層して構成される。
【００８６】
実際の記録としては、図示を省略したレーザ光源から出て2つに分けられた2つのレーザ光である信号光９５と参照光９６が記録媒体９０に入射する。信号光９５、参照光９６共に表面に張られたランダム位相パターンを持つマスク９１によって一定のランダムパターンを持つ。このランダムパターンを持った2つの光の干渉によって信号光９５に与えられた情報をホログラムとして記録する。ここで、入射した参照光９６には前述ランダムパターンを持っているので、そのパターンに応じたシフト量で多重記録することが可能である。
【００８７】
再生時には、参照光９６の入射によりホログラム記録層９２からホログラムからの回折光が発生し、それが反射膜９３によって反射される。
【００８８】
マスク９１の作成方法としては、図１２に示すように、記録媒体９０の保護膜としてのカバーガラスをプラスチック基板（マスク９１に相当）とし、通常の半導体製造過程における位相シフトマスクを作成する過程と同じように、光リソグラフィ光源からの光９７でプラスチック基板（マスク９１に相当）上にランダム又は一定の規則性を持ったパターンを転写するという作成方法が考えられる。
【００８９】
その後この転写された位相パターンを保護する膜(図示せず)を貼り付けることによって作成することが可能である。
【００９０】
ここで作成するマスク９１の形状は例えば図１３（Ａ）〜（Ｅ）に示したような位相マスク形状が考えられる。
【００９１】
また以上に示した作成法だけではなく、例えばランダムパターンを記録する時にはある一定の角度でのみ回折光を発生し、更にランダムな情報を記録するというホログラムを計算機ホログラム（CGH：Computer Generated Hologram）によってコンピュータ上で作成し、そのパターンをCDやDVDと同様に原版転写プロセスによって転写するという方法も考えら。この方法の場合には非常に低コストでの記録媒体の作成が可能となる。
【図面の簡単な説明】
【００９２】
【図１】本発明の一実施形態に係るホログラム記録媒体の構成を示す図である。
【図２】図1に示したランダムパターン層の作成方法を説明するための図である。
【図３】図1に示した記録媒体における記録再生の原理を説明するための図である。
【図４】図1に示した記録媒体の製造方法を説明するための図である（その１）。
【図５】図1に示した記録媒体の製造方法を説明するための図である（その２）。
【図６】図1に示した記録媒体の製造方法を説明するための図である（その３）。
【図７】本発明に係る記録媒体の他の構成例を示す図である。
【図８】図７に示したランダムパターン層の作成方法を説明するための図である。
【図９】図７に示した記録媒体における記録再生の原理を説明するための図である。
【図１０】本発明に係る記録媒体を記録再生する装置の構成例を示す図である。
【図１１】本発明に係る記録媒体の更に別の構成例を示す図である。
【図１２】図１１に示したマスクの作成方法を説明するための図である。
【図１３】図１１に示したマスクの形状の例を示す図である。
【符号の説明】
【００９３】
１０、７０  記録媒体
１２、７３  ランダムパターン層
１４、７２、９２  ホログラム記録層
９１  マスク
【図１】
2006039160.tif 000003
【図２】
2006039160.tif 000004
【図３】
2006039160.tif 000005
【図４】
2006039160.tif 000006
【図５】
2006039160.tif 000007
【図６】
2006039160.tif 000008
【図７】
2006039160.tif 000009
【図８】
2006039160.tif 000010
【図９】
2006039160.tif 000011
【図１０】
2006039160.tif 000012
【図１１】
2006039160.tif 000013
【図１２】
2006039160.tif 000014
【図１３】
2006039160.tif 000015